(57)【特許請求の範囲】
【請求項１】
自動速射型武器のブリーチ構成（１，１００）用ブリーチガイド装置（３０）であって、
前記ブリーチ構成（１，１００）内に配置される支持要素（３２）と、
前記支持要素（３２）に回転可能に配置され、武器構成要素、特にベルトフィーダーを制御する制御要素（３４）と、
前記支持要素（３２）に回転可能に配置され、ブリーチガイド部（１６、１８）に沿ってブリーチ構成（１，１００）を誘導するガイド要素（３６）と、を備え、
前記支持要素（３２）はボアの中心線（２４）に垂直な対称軸（３３）に沿って延びており、且つ前記制御要素（３４）と前記ガイド要素（３６）とは同軸に配置されることを特徴とする、ブリーチガイド装置（３０）。
【請求項２】
前記制御要素（３４）及び前記ガイド要素（３６）は前記支持要素（３２）に対して回転可能である、請求項１に記載のブリーチガイド装置（３０）。
【請求項３】
前記制御要素（３４）並びに前記支持要素（３２）は、前記支持要素（３２）を保持するハウジング（１）内で同軸に配置されている、請求項１又は２に記載のブリーチガイド装置（３０）。
【請求項４】
前記制御要素（３４）及び前記支持要素（３２）は、前記ハウジング（１）内での駆動要素（４０）の作動に抗して移動可能に装着される、請求項３に記載のブリーチガイド装置（３０）。
【請求項５】
前記支持要素（３２）は、前記ガイド要素（３６）を通過して、前記ガイド要素（３６）に関連して変位可能である、前記請求項１乃至４のいずれか１項に記載のブリーチガイド装置（３０）。
【請求項６】
前記ガイド要素（３６）は、前記対称軸（３３）上のブリーチガイド部（１６、１８）に一致する断面で前記ブリーチ構成（１，１００）により保持される、前記請求項１乃至５のいずれか１項に記載のブリーチガイド装置（３０）。
【請求項７】
前記制御要素（３４）及び／又は前記ガイド要素（３６）は各々、ローラとして形成され、前記ブリーチ構成（１，１００）の移動と共に横方向のガイド面（１６、１８）及び／又はガイド面（５２、５４）上でロールする、前記請求項１乃至６のいずれか１項に記載のブリーチガイド装置（３０）。
【請求項８】
前記ローラ（３４、３６）は、前記ブリーチ構成（１，１００）の移動中に反対方向に回転する、請求項７に記載のブリーチガイド装置（３０）。
【請求項９】
前記ローラ（３４、３６）の少なくとも１つが凸面状のロール面を有する、請求項７から８のいずれか１項に記載のブリーチガイド装置（３０）。
【請求項１０】
前記ブリーチ構成（１，１００）の前方及び後方の移動中に、前記制御要素（３４）は、カム（５０）のガイド縁部（５２、５４）に作用して、ベルトフィーダーを制御するようにする、前記請求項１乃至９のいずれか１項に記載のブリーチガイド装置（３０）。
【請求項１１】
ブリーチベース（１）及びこれに装着されるブリーチヘッド（１００）を有し、複数のブリーチスタッド（１０４）と、複数のロックスタッド（２０４）を有するロック部品（２００）とを含む回転スタッドブリーチを更に備え、前記ロック部品（２００）において、前記ロックスタッド（２０４）上には後方に面するカム断面（２０８）が形成され、アンロック時には、前記ブリーチヘッド（１００）は、前記ブリーチスタッド（１０４）の後方前面（１０６）が前記ロックスタッド（２０４）の前面（２０６）から解放されるアンロック動作を実施して、制御ブリーチスタッド（１０４ｈ’）に沿って対応して設計された前向きガイド断面（１３２）を通じて前記ブリーチヘッド（１００）のスクリュー移動に変換し、前記ブリーチヘッド（１００）に保持されたカートリッジケースをチャンバから解放するようにし、ここで前記ガイド断面（１３２）が前記カム断面（２０８）により支持され、ロック時には、前記ガイド断面（１３２）に対して予備制御機能を能動的に実施して、該機能により、前記ブリーチベース（１）のガイドスロット（６０）内の制御ピン（１０２）をアンロック位置からガイド位置に回転させ、前記ガイドスロット（６０）が前記制御ピン（１０２）上のロック縁部（６２）に作用し、前記ブリーチヘッド（１００）に回転インパルスを与えて、前記ブリーチベース（１）が前記ブリーチヘッド（１００）に対して移動し、その結果、前記ブリーチヘッドの線形送給運動をスクリュー運動によるロック運動に変換する、前記請求項１乃至１０のいずれか１項に記載のブリーチガイド装置（３０）。
【請求項１２】
前記請求項１乃至１０のいずれか１項によるブリーチガイド装置を備えた速射型武器。
【請求項１３】
前記請求項１１に記載のブリーチ構成（１，１００）を備えた速射型武器。
【発明の詳細な説明】
【技術分野】
【０００１】
本発明は、自動速射型武器のブリーチ構成用のブリーチガイド装置、及びブリーチガイド装置を備えた自動速射型武器に関する。
【背景技術】
【０００２】
以下で使用される、上方、下方、前方、後方、右、及び左のような方向は、作動可能な位置に保持された武器を基準とした、射手の視点からのものである。
【０００３】
一般に、ブリーチを誘導するための複数のブリーチガイド装置が知られている。
【０００４】
例えば、同一出願人のＤＥ１０３４９１６０Ｂ３は、種々の武器構成要素を収容するために中空の本体輪郭を有する武器構成要素を示している。ケーシングにおいて、ブリーチ要素内の対応する溝に係合するように設計された断面輪郭を有するスライドレールが配置されている。スライドレールは、ブリーチ要素を誘導するためにローラレールとして設計することができる。
ＤＥ４３４５５９１Ｂ４は、同一出願人による自動装填式のグレネードランチャを開示しており、ブリーチヘッド上には、中心に位置付けられた湾曲レバーキャッチが配置される。湾曲レバーキャッチは、垂直軸線の周りで回転可能なローラとして設計することができる。このローラは、湾曲レバーの湾曲制御溝内に延び、制御曲線を形成し、弾薬の供給（ベルト供給コンベヤー）を制御する。鋼鉄ブロックに装着されるいわゆる「パスロッド」は、ケーシングを通って延び、軸線に沿って滑動する移動の反動作用をもたらす。ＵＳ１６７８５０８Ｂは、ブリーチヘッド上の２つのピンローラ間に延びる制御レールを備えた湾曲レバーを示している。
ＤＥ１６７８５０８Ｂは、ガスピストンを用いて作動する銃器のブリーチを備えたガス作動式装填装置を示している。ブリーチベース及びブリーチヘッドは各々、横方向に向いた制御レッグを含み、該制御レッグは、武器ケーシング内の対応する溝において滑動する。更に、ローラは、ブリーチの戻る途中でベルト供給機構上の湾曲溝に入り、ギアホイールによりベルト供給機構を前進するブリーチベース上に配置される。
ＤＥ１９７２６０３２Ａ１は、銃器ＭＫＭ８８のブリーチシステムを示している。ガス作動ローダーのブリーチベース上に横方向カム及び制御トンネルが配置される。カムは、ブリーチヘッド制御ラッチの回転を阻止し、ブリーチヘッドの減速摩擦を低減することになっている。ブリーチ滑動ノーズが個々の要素を誘導する。加えて、武器ケーシング上の横方向に滑動レールが設けられ、ブリーチユニットが装着される。
最後に、ＤＥ３８３５５５６Ａ１は、銃器用の直接牽引式ブリーチシステムを開示している。ブリーチの直線誘導用に２つの滑走部が設けられる。ＣＨ５１１３１Ａは、傾斜したロック面を含むロックラグを備えた直接牽引式ブリーチを示している。
一般に、厳密な寸法公差が必要とされる理由から、既知のブリーチガイド装置は、ほとんどが製造が複雑で高コストであり、ブリーチガイド機構の限定的な作動性のみが確保される場合がある。例えば、特にレールガイドシステムにおいて、ガイドの汚染物質に対する耐性を維持するために大きなガイド遊びが必要となることが多いので、ブリーチガイド装置のジャムが生じる場合がある。他方、ガイド又は制御ピンを狭く誘導すると、高い摩擦力が生じる可能性があり、これにより摩耗が増大し、及び／又は武器作動性（例えば、コンベアフィード）における利用可能な制御力が低下する。
この背景に対して、本発明の目標は、上述の欠点を少なくとも部分的に克服する改善されたブリーチガイド装置を提供することである。
この目標は、独立クレームの主題によって達成される。更に、従属請求項においては有利な実施形態及び好ましい実施形態が提示される。
【発明の概要】
【０００５】
請求項１によれば、本発明のブリーチガイド構成は、ブリーチ構成上に配置された支持要素と、支持要素上に配置される制御要素と、支持要素上に配置され、ブリーチガイド部に沿ってブリーチ構成を誘導するガイド要素とを備え、支持要素は、ボアの中心線に垂直に延びる対称軸を有し、該ボアの中心線に対して制御要素及びガイド要素が同軸配置される。
【０００６】
請求項１３は、ブリーチガイド装置を備えた速射型武器に関する。
【０００７】
本発明のブリーチガイド装置はまた、支持要素上に配置される複数の制御及びガイド要素を備えることができる。好ましくは、本発明によれば、ブリーチガイド装置は、１つの制御要素と１つのガイド要素とを含む。
【０００８】
制御要素及びガイド要素は、対称軸と同軸の支持要素上に装着される。ここで、制御要素及びガイド要素は同じ寸法を有することができ、又は、制御要素は、ガイド要素よりも大きいか、又は小さく設計することができる。制御要素及びガイド要素は、例えば、ブリーチ構成から横方向に突出することができ、或いは、ブリーチ構成の上部に配置することができる。
【０００９】
ブリーチ運動の間、ガイド要素は、対応するガイド部により誘導される。ガイド部は、武器ケーシング内で設計され、ガイド要素を備えた機能ユニットを形成するよう設計することができる。例えば、この目的において、ブリーチ運動の間にガイド要素が滑動及び／又はロールしているレール様ガイド輪郭をケーシング内に形成することができる。制御要素及びガイド要素の同軸構成に起因して、制御要素に作用するあらゆる横方向力は、ケーシング又はケーシングハーフモノコックへのロール及び／又は滑動を実施することができる。全体として、低い摩擦又は滑動抵抗により、高効率のブリーチ動作を達成することができる。
【００１０】
請求項２によれば、制御要素及びガイド要素は、滑動可能なように支持部材上に配置することができる。滑動可能な取り付けにより、低摩擦抵抗で高い動的ピーク負荷が可能となる。この実施例において、自己潤滑性摩擦防止コーティングが設けられる。或いは、ローラ軸受又はボール軸受など、他の好適な取り付けを提供してもよい。
【００１１】
請求項３によれば、制御要素並びに支持部材は、軸方向に配置され、支持要素を囲むハウジング内で滑動する。
【００１２】
請求項４によれば、制御要素及び支持要素は、駆動要素（例えば、バネ要素の圧力）の作動に抗してハウジング内に装着される。従って、制御要素並びに支持部材は、バネ圧力に抗して軸方向に移動することができ、ブリーチ構成内、例えばブリーチベース内に保持することができる。バネ要素の適切な設計並びに制御要素及び支持要素の寸法設定により、制御要素はブリーチベース内に完全に沈めることができる。制御要素がブリーチ構成の上部に設計された場合、カートリッジ・フィーダーのリッドを閉じたときに、ガイド部の側縁が制御レバーにて制御要素と衝突し、ブリーチベースに損傷を与えることなくこれを押し出すことができる。
【００１３】
請求項５による変形形態において、支持要素は、ガイド要素を通過し、ガイド要素に関連して変位可能に設計される。従って、制御要素は、ガイド要素とは関係なく支持要素により軸方向にシフトすることができ、簡単な構成要素節減設計をもたらす。
【００１４】
ガイド要素がブリーチ構成（請求項６）によりガイド部内に保持される場合、一方では、ガイド要素の信頼性のある誘導が保証され、他方では、ブリーチ運動中に、ブリーチ構成の誘導安定性が向上し、ブリーチ構成は、ガイド部に沿ったガイド要素を通じてハウジングにより支持される。
【００１５】
また、本発明のブリーチガイド装置では、支持要素は、安全ロックにより駆動要素の作動に抗して固定することができる。安全ロックは、ピン、ボルト、又はスクリューなど、好適で適切な固定手段とすることができる。ブリーチ構成におけるブリーチガイド装置の取付時には、最初にバネ要素が挿入され、そこで、支持要素と共に１つ又は複数のガイド要素が、ブリーチ構成に設計された陥凹部内に挿入される。この位置において、ガイド要素は、ブリーチ構成から落下しないように固定することができる（例えば、支持要素により）。
【００１６】
請求項７は、制御要素及びガイド要素が各々、横方向ガイド又は制御ガイド面に沿ってブリーチの移動と共にロールするローラとして構成された設計に関する。ここで支持要素は制御及びガイド軸を形成する。制御要素及びガイド要素の独立した取り付けは、ガイドケーシング構成要素又はケーシング側部上でのローラとガイド部との間の相対的に小さなガイド遊びを可能にする。従って、制御要素又はガイドローラは、例えば、より大きなアクチュエータ力及び制御力を低摩擦でベルトフィーダーの湾曲レバーに伝達することができる。発生する反力は、ガイド要素を介してケーシング内に導入される。全体として、制御要素及びガイド要素の摩擦抵抗が小さいことに起因して、ブリーチの移動が促進される。
【００１７】
ブリーチ構成の移動により、ローラもまた、反対方向に回転することができる。（請求項８）ローラが対向する側部上で支持されるので、ブリーチ移動及び湾曲レバーの作動時には、ローラは反対方向に転回する。このようにして、有利には、ブリーチガイドの安定性を向上させることができる。
【００１８】
請求項９によれば、ローラの少なくとも１つは、王冠状ローラ面を含む。制御要素として機能する王冠状カムローラは、ガイド部（例えば、湾曲レバー）でジャムを生じることがない。全体として、王冠状ローラカム及びガイドローラの同軸設計により、ガイド要素又はガイドローラもしくは制御要素／カムローラが互いに良好に支持し、製造公差を増大させることができるようにして、ブリーチの誘導を可能にする。凸面ロール面は、ガイド部又は制御経路に対するローラの異なる軸角度でのロール特性を改善する。
【００１９】
請求項１０によれば、ブリーチ構成の前方及び後方移動において、制御要素が湾曲レバーのガイド縁部に作用して、カートリッジの供給を制御する。この目的において、制御要素は、ブリーチベースの上側に配置することができ、制御カムは、カートリッジフィーダーカバー上に配置し設計することができる。再装荷及び発射のためのブリーチ移動時には、制御要素は、ケーシングリッド内に配置されたベルトフィーダー機構を制御し、極めて小さな遊びを備えて交互に作用する復元力をガイド要素を通じて武器ケーシングに伝達する。
【００２０】
制御要素は、ガイド要素により定められるガイド部に沿って移動し、カートリッジ送給のためのコンベア機構を駆動する制御レバーの周期的に振動する枢動移動を制御する。ガイド部の小さな公差は、精度に影響を及ぼす可能性がある武器の横加速度を低減する。
【００２１】
全体として、本発明は、コンパクトなブリーチガイド装置を提供すると共に、ベルト送給力を増大させてブリーチ装置の運動抵抗を低下させ、従って、小さな横加速度で発射サイクル全体が円滑になる作用に対する武器の機能を改善し、最終的には信頼性及び精度が向上する。
【００２２】
次に、本発明を例示的な図面を参照して説明する。図において、同じ参照符号は全体を通じて同じ要素を示している。
【００２３】
図面を参照しながら本発明の実施形態を以下で説明する。
【図面の簡単な説明】
【００２４】
【図１】正面から見た本発明のブリーチガイド装置を備えたブリーチ構成の斜視図。
【図２】後方から見た図１に示すブリーチ構成の斜視図。
【図３】ブリーチガイド構成の武器ケーシングの断面図。
【図４】図１及び図２に示すブリーチ構成の長手方向断面図。
【図５】図４に示すブリーチガイド構成の断面図（断面Ａ−Ａ）。
【図６ａ】ブリーチロック及びアンロックにおける本質的な構成プロセスを説明する    、ブリーチスタッド及び対応する制御ピン位置の概略図。
【図６ｂ】ブリーチロック及びアンロックにおける本質的な構成プロセスを説明する    、ブリーチスタッド及び対応する制御ピン位置の概略図。
【図６ｃ】ブリーチロック及びアンロックにおける本質的な構成プロセスを説明する    、ブリーチスタッド及び対応する制御ピン位置の概略図。
【図６ｄ】ブリーチロック及びアンロックにおける本質的な構成プロセスを説明する    、ブリーチスタッド及び対応する制御ピン位置の概略図。
【図６ｅ】ブリーチロック及びアンロックにおける本質的な構成プロセスを説明する    、ブリーチスタッド及び対応する制御ピン位置の概略図。
【図６ｆ】ブリーチロック及びアンロックにおける本質的な構成プロセスを説明する    、ブリーチスタッド及び対応する制御ピン位置の概略図。
【図６ｇ】ブリーチロック及びアンロックにおける本質的な構成プロセスを説明する    、ブリーチスタッド及び対応する制御ピン位置の概略図。
【図６ｈ】ブリーチロック及びアンロックにおける本質的な構成プロセスを説明する    、ブリーチスタッド及び対応する制御ピン位置の概略図。
【図６ｉ】ブリーチロック及びアンロックにおける本質的な構成プロセスを説明する    、ブリーチスタッド及び対応する制御ピン位置の概略図。
【図６ｊ】ブリーチロック及びアンロックにおける本質的な構成プロセスを説明する    、ブリーチスタッド及び対応する制御ピン位置の概略図。
【図７】ブリーチヘッドを表す側面図。
【図７ａ】図７のブリーチヘッドのブリーチスタッドを示す詳細図（詳細Ｙ）
【図８】ロック部品の後方から見た図と、そのＡ−Ａ断面図。
【発明を実施するための形態】
【００２５】
各図で例示した実施形態は、ガス作動ローダーとして設計された、図示していない自動式武器のブリーチ構成を示している。
【００２６】
図１から５には主要構成要素が示してある。
【００２７】
ブリーチ構成は、その前端において圧力ガス管体２により武器のガス源（図示せず）に接続されるブリーチベース１を含む。供給ガスは、ピストン４の前面上のガス出口シリンダ（図示せず）を通して圧力を公知の方法で加え、これにより作動力をブリーチベース上の圧力ガス管体２に伝達し、これをケーシング６（図３を参照）において後方にシフトさせる。
【００２８】
ケーシング６（図３を参照）は、本明細書では２つのケーシングハーフモノコック構造体８及び１０により形成され、これらの内部にはガイドレール１２、１４、１６、及び１８を含み、これらはブリーチガイド部として機能し、ケーシングにおける前後運動でブリーチベース１を導く。
【００２９】
下側ガイドレール１２、１４は、ブリーチベース１の左右側部上のガイド溝２０及び２２に係合し、該ブリーチベース１をケーシング６において横断方向及び垂直方向で固定された、すなわちボアの中心線２４（図１及び２を参照）に沿って長手方向で水平に導く。前後のガイドレール２０と右側ガイド溝２２との間に空きスペース２１が形成されるので、ガイドの摩擦は極めて小さく、汚染物質に対して耐性がある。あらゆる汚染物質は、鉤爪様設計でガイドレール１２及び１４を囲むガイド溝２０、２２により剥ぎ取られて、ガイドレール１２及び１４により除去され、汚染物質が実際のガイドプロセスの範囲において堆積できないようにされる。このようにして、実際のガイド部表面の清浄さが保たれ、従って摩擦力は小さい。ガイド溝ペア２０及び２２がブリーチベース１の前端及び後端に配置されるので、ブリーチベース１はその全長に沿って支持され、ケーシング内でのジャムが生じることがない。
【００３０】
加えて、ブリーチベース１は、その上側後端においてブリーチガイド装置３０を備え、該ブリーチガイド装置３０は支持要素として働くガイドシャフト３２を含み、ガイドシャフト３２は、ガイド要素として働くガイドローラ３４を上端において回転可能に保持して、ブリーチベース１の横断陥凹部２６内に軸方向に誘導されるガイドロータ３６を通過し、ここでガイドロータ３６はまた、ガイドシャフト３２上に回転可能に着座され、ブリーチベース１の側壁を越えて横方向に突出する。ガイドシャフト３２、ガイドローラ３４、及びガイドロータ３６は、ボア中心線２４に垂直に延びる対称軸に同軸に配置される。
ガイドシャフト３２自体は、ブリーチベース１の保持アパーチャ３８において軸方向に移動可能に位置付けられ、バネ４０により上向きに圧迫され、保持容器として機能するベース内にバネ圧に抗して下向きにシフトすることができる。軸方向の移動範囲は、ガイドシャフト３２の外側上の陥凹部４２により定められ、横断方向でブリーチベース１を通過するロックピン４４がストップ部を形成する。従って、ガイドシャフト３２は、ロックピン４４の上面及び下面の間で該ロックピン４４に抗してシフトすることができ、該ロックピン４４はまた、ガイドシャフト３２がバネ４０によって保持アパーチャ３８から外に上向きに押されるのを阻止する。ガイドローラ３４は、リベット４６及びワッシャ４８によりガイドシャフト３２の上端に回転可能に固定される。
【００３１】
図示の実施形態において、ガイドローラ３４（制御要素）はＵ字ガイドゲート５０に係合し、これにより凸面を有するガイドローラ３４は、代替的にサイドレッグ５２及び５４の内側周縁部上で作用する。従って、ブリーチベース１の前進及び後退移動において、ガイドローラ３４は、駆動カムとしての役割を果たし、該駆動カムは、ボアの中心線２４に対して横方向に湾曲レバーを前後に移動させ、これにより湾曲レバーがカートリッジフィード機構を駆動する。湾曲レバー５０は、その運動方向に応じて、レッグ５２、５４により横方向力をガイドローラ３４及びひいてはガイドシャフト３２を通ってブリーチベース上に伝達し、従って、ケーシングに対して左右に横方向に傾斜される。これらの横方向力はボア２４の中心線に沿ったブリーチベース１のガイド特性及び移動性に影響を及ぼさず、ガイドレール１６上をローリングする等しく王冠状にされたガイドロータ３６は、これらの横荷重をケーシング６に伝達する。従って、ガイド溝２０及び２２は、ガイドレール１２及び１４においてジャムを生じない。よって、ローラ３４の制御及び輸送機能により実行可能な小さな摩擦作用を生じ、ケーシング６内のブリーチベース１の移動を遅延させる。
【００３２】
キャンバローラ３４、３６としてこれらのガイド及び制御要素を設計することにより、特に滑らかに作動するガイドが確保される。例えば、右レッグ５２がガイド縁部を介して左作用力をガイドローラの右側に伝達する場合、ガイドロータ３６は、ガイド縁部に対して左側で左ガイドレール１６に当接し、すなわちローラ３４及び３６を対向する側部に反対方向にロールする。ガイドレール１６及び１８とレッグ５２及び５４の相互に対面する縁部間の距離の対応する遊び又は寸法により、極めて滑らかなガイド機能を実現することができる。また、ローラ３４、３６のキャンバロール面により、ブリーチベース１の僅かに傾斜した位置にて清浄なローリング機能が確保され、また、ガイドレール１６、１８のガイド側部及び湾曲レバー５０のレッグ５２、５４の内側縁部に沿ってこれらロール面に対して僅かに傾斜した位置に延びる。
【００３３】
湾曲レバー５０は、旋回ヒンジリッド５６内に配置され、ベルトフィーダー機構（図示せず）を保持する。ガイドシャフト３２は、ガイドローラ３４と共にバネ４０によりブリーチベース１内に格納可能であるように設計されるので、リッド５６は、湾曲レバー５０又はガイドローラ３４を損傷するリスクを伴うことなく、あらゆるブリーチ位置で閉鎖することができる。下向きの前面を有するレッグ５２、５４の１つがガイドローラ３４に到達した場合、このローラは、ガイドシャフト３２と共にブリーチベース１内の保持アパーチャ３８に押し込まれる。ボアの中心線２４に沿ったブリーチベース１の装填移動では、ガイドローラ３４が再度完全に湾曲レバー５０の経路内に入り、そこでバネ４０作用によって下がるまで、ガイドローラ３４の上前面は、レッグ５２又は５４の下面に沿って滑動する。
【００３４】
ガイドローラ３４及びガイドロータ３６のローリング特性を改善するために、ガイドシャフト３２の外側表面及び／又は制御ローラ３４及びガイドロータ３６の内側表面は、特に滑り易い表面（コーティング、機械加工）を有することができる。また、好適なローラ軸受により制御ローラ３４及びガイドロータ３６をガイドシャフト３２に接続することが可能である。別の実施形態（図示せず）において、ケーシング６内でのブリーチベース１の移動中にガイド溝２０及び２２の領域においてガイドレール１２、１４、１６、１８に対する摩擦抵抗を更に低減するために、当該領域にローラ軸受を設けてもよい。また、ローラ（制御ローラ３４、ガイドロータ３６）の代わりに、ガイドシャフト３２に関連して移動／滑動可能な湾曲レバーの内側縁部があるガイド縁部に当接する制御／ガイド要素が設けられた変形形態も存在する。すなわち、このような要素は、ボアの中心線２４及び対称軸３３によって定められる対称平面に対して少なくとも対称である。
【００３５】
図示のブリーチ構成は、いわゆる転回スタッドブリーチを備え、ここでは軸方向に変位可能なブリーチヘッド１００が、ロック位置とアンロック位置との間でブリーチベース１の上側にてガイドケース５８内に回転可能に保持される。この前端にて、ブリーチヘッド１００は、２つの連続した王冠部において４つの前方ブリーチスタッド１０４ｖと４つの後方ブリーチスタッド１０４ｈとを含み、これらは、１時と２時の間、４時と５時の間、７時と８時の間、及び１０時と１１時との間で列をなしてペアでそれぞれ配列される（時計文字盤の向きで与えられる）。ロックスタッド１０４ｖ、１０４ｈ間には、長手方向に延びるギャップが横方向に設けられ、これは、ロック部品２００のロック機能用及びケーシング６におけるブリーチヘッド１００の誘導用に使用される。
【００３６】
図示のブリーチ構成は、いわゆるオープンボルト武器を提供し、ここでは弾丸を発射する前にブリーチ構成全体が、送給されることになる弾薬の背後に位置付けられ、銃弾の発射後にはブリーチ構成が前進し、弾薬を弾薬庫（図示せず）内に送給し、ここでブリーチをロックした後に点火される。
【００３７】
図１、２、４及び５は、アンロック位置のブリーチヘッド１００を示し、図６ｄ〜ｆは、そのロック位置のブリーチヘッド１００を示している。ケーシング６内でのブリーチ構成の移動中、ブリーチヘッド１００は、ロックスタッド１０４ｖ及び１０４ｈ間の２つの側方ギャップ（９時と３時の位置）に延びたガイドレール１６及び１８によって、アンロック位置からの不要な回転に抗して誘導される。
【００３８】
更に、ブリーチヘッド１００の前端において、１２時の位置に２つのフィードラグ１０８が設けられ、これらの間にカートリッジエジェクタスロット１１０が延びる。これらのフィードラグ１０８は、カートリッジを供給する役割を果たし、他方、後方移動時にケーシング（図示せず）上に固定されるエジェクタは、空のカートリッジケーシングを銃から排出する（以下を参照のこと）。ペアで配列されるフィードラグ１０８は、武器内で弾薬を移送する際のカートリッジの安定した誘導を可能にする。
【００３９】
ブリーチヘッド１００の回転は、下向きに突出する制御ピン１０２（図４、５、及び７を参照）によって伝達され、該制御ピンは、ブリーチベースの制御ゲート６０内に突出し、武器の運動方向及び作動状態に応じた様々な回転位置へのブリーチベース１に対するブリーチヘッド１００の相対移動中に撓みが生じる。このために、制御スロット６０は、前方線形ガイドゾーン６６及び後方線形ガイドゾーン６８を有し、これらは、ロック用のガイド縁部６２及びアンロック用のガイド縁部６４を越えて互いに通過する。前方線形ガイドゾーン６６の後端において、ボアの中心線２４を横断して配列された平坦面７０が形成され、これは、制御ピン１０２上の後方前面１２８（図７参照）と相互作用し、前方線形ガイドゾーン６６に配列された前進するブリーチベース１及び制御ピン１０２と共にブリーチヘッド１００に回転運動量が伝達されないようにする。
【００４０】
制御ピン１０２は、半径方向外向きに拡大する楔形断面輪郭を備え、制御スロット６０の対応する形状にされた受け輪郭に、詳細には線形ガイドゾーン６６及び６８に係合する。従って、ブリーチヘッド１００は、ダブテールガイドと同様に制御スロット６０内に保持され、ガイド管５８内に傾斜に抗して固定される。ブリーチヘッド（例えば、ブリーチ構成が取り外された状態）は、特にブリーチヘッドの後端が小さな重なり合い（図４の位置を参照）を有してガイド管内にあるときには、ガイド管５８により偶発的にてこで動かすことはできない。
【００４１】
ブリーチヘッドの意図した取り外しのために、線形ガイドゾーン６８の遠方端に取り外し開口７１が設けられ、ここからガイド管５８においてブリーチヘッド１００の回転移動により制御ピン１０２を取り外すことができ、その結果、ブリーチヘッド１００をガイド管５８から前方向に取り外すことができるようになる。
【００４２】
ブリーチヘッド１００において、ボアの中心線２４と同軸に延びた撃針チャンネル１１６があり、ここで撃針１１８が滑動する。撃針１１８は、その後端において保持軸受５９内にボールヘッド１２０が保持され、ここでクロスピン１２２によりブリーチベース１内に軸方向に固定される。ブリーチベース１とブリーチヘッド１００との間の相対移動中、撃針１１８は、ブリーチベース１と共に移動し、このようにしてブリーチヘッド１００に対して前方及び後方に移動する。武器の発射時には、撃針１１８は、撃針開口１２４を通過し、ブリーチヘッド１００の前端にてブリーチ面１２６から出て、発射されるカートリッジの底部がここに配置され、点火キャップを打撃する。カートリッジのカナルでは、エジェクションスカラップ１１２を係合し、バネ荷重圧力ピンによりこの位置で圧縮される。クランプ力は、カートリッジ送給プロセス中にカートリッジ下面の後縁を越えて半径方向に旋回し、次いでチャンバ内に固定されるカートリッジのエキストラクタ溝に入ることができるように調整される。
【００４３】
ロック作動中、ブリーチヘッド１００におけるブリーチスタッド１０４は、ロック部品２００上でロックラグ２０４と相互作用する。このプロセスにおいて、ブリーチスタッド１０４は、最初に、陥凹部２０２（図８）間でロック部品２００内に沈下して所定位置に入り、ここで制御縁部６２が制御ピン１０２上の制御スロット６０に係合してロックし、更にこの制御ピン１０２を捩り、従って、ロックラグ２０４の前に制御スロット６０をロック部品２００内に入れて（ブリーチヘッド１００が回転される）、ブリーチスタッド１０４の後ろ向き前面１０６がロックラグ２０４の前向き前面２０６と対接し、よって線形方向（ボアの中心線２４の方向）でブリーチヘッドをロックするようにする。従って、ブリーチヘッド１００は、ブリーチヘッドチャンバ（図示せず）に完全に隣接し、砲身（図示せず）の遠方端部にて設計され、該砲身はロック部品に接続されて所定位置に固定される。
【００４４】
武器がアンロック位置にあるときには、制御フランク６４は、制御ピン１０２におけるブリーチヘッド１００に対するブリーチベース１の運動で制御スロット６０に係合し、これをロック位置の外に回転させ、ブリーチヘッド１００が、ロック部品２００上の陥凹部２０２を通ってブリーチスタッド１０４ｈｖに対して直線的後方に引き出すことができるようにする。
【００４５】
ロック及びアンロック機能を改善するために、ロック部品２００上にガイドチャンネル２０９が設けられ（図６ｃを参照）、制御カム断面２０８（図６及び８を参照）に沿って部分的に延びて、ブリーチヘッド１００上の制御スタッド１０４ｈ’と相互作用する。
【００４６】
ガイドチャンネル２０９は、図６ｃに示す破線境界内に延びる。これは、ロックスタッド２０４ｂ上のカム部分２０８及びロックスタッド２０４ａ上のガイド表面２０５を通って、円周方向に隣接するロックスタッド２０４ａ及び２０４ｂの対面する側面２０７ａ及び２０７ｂにより定められる。このようにして定められたガイドチャンネル２０９は、制御断面１３２及びガイド断面１１１（同様に図６、７、及び７ａを参照）を通って側縁部１０９ａ及び１０９ｂ上にブリーチロックスタッド１０４ｈ’を導く。
【００４７】
この構成の作用は、主として、カートリッジの引き出しプロセスの改善、並びにロック及びアンロックが円滑な時及び低応力負荷状態での全体の動きを改善するのに使用される。
【００４８】
厳密な機能は、発射時にブリーチ構成が受ける全移動サイクルに基づいて明らかになる。これは、図６ａから６ｋで概略的に図示される。ブリーチスタッド１０４及び１０４ｈ’、１０４ｖ並びにロックスタッド２０４及び２０４ａ、ｂは、互いにロール及び転回して図示されている。制御スロット６０における制御ピン１０２の対応する位置が斜線で示される。
【００４９】
（ブリーチ開放）
コック状態の武器では、ブリーチ構成（ブリーチベース１及びブリーチヘッド１００）は、ケーシング６内の後方位置に位置付けられる。ブリーチバネ（図示せず）に圧力が加えられ、２つのブリーチバネアイ７２の範囲でブリーチベース１に係合し、ブリーチバネアイ７２を通過するブリーチバネガイドロッド（図示せず）上に引張される。ブリーチベース１は、支持突起部７４上のトリガ機構（図示せず）により保持される。ブリーチヘッド１００は、アンロック位置にあり、ガイドレール１６及び１８によりこの回転位置に保持される。制御ピン１０２は、前方線形ガイドゾーン６６内に位置付けられる。ブリーチ構成を開放すると、支持突起７４が開放され、ブリーチ構成は、ブリーチバネの作用により前方に進む。
【００５０】
（カートリッジ送給（６ａ））
ここで、フィーダーラグ１０８は、連鎖状カートリッジを下側縁部にて把持して非連鎖状にし、ロック部品２００を通って前方への且つ銃身（図示せず）のチャンバ内へのブリーチ構成が更に移動するようにカートリッジを導く。少なくともフィーダーラグ１０８がカートリッジの底部に衝突すると、ブリーチベース内のブリーチヘッド１００が後方に押し出される。このプロセスの間、制御ピン１０２は、ブリーチベースと相対的に制御スロット６０内を移動し、すなわち、前方線形ガイドゾーン６６内を後方に移動し、そこで平坦面７０に接して置かれる。ブリーチスタッド１０４は、ロックラグ２０４間の陥凹部２０２を適切にロック部品２００内に沈下させ、その上側には、カートリッジ用の送給ランプ２１０があり、これを貫通してカートリッジが銃身のチャンバ内に更に押し込まれる。このプロセスにおいて、制御ブリーチスタッド１０４ｈ’がガイドチャンネル２０９に導入され、ガイドチャンネル２０９内の側縁１０９ａ、ｂに沿って側面２０７ａ、ｂで軸方向に案内される。
【００５１】
（ブリーチのロック  （図６ｂ〜ｄ））
ケーシング内のガイドレール１６、１８によって確実に誘導される先導ブリーチヘッド１００は、その前方ブリーチスタッド列１０４ｖと共にガイドレール１６、１８から離れ、最初に、前方ブリーチスタッド列１０４ｖと共にロック部品２００の後方ロックスタッド列２０４をオーバランする。ブリーチヘッド１００が更に前進すると、ブリーチヘッド１００のブリーチスタッド１０４ｈの後方列もまたガイドレール１６、１８から外れる。
【００５２】
このプロセスにおいて、ブリーチヘッド１００は、制御ブリーチスタッド１０４ｈ’がそのガイドゾーン１３２にてロック部品２００のカム断面２０８と当接するまで、かなり長くアンロック位置に留まり、このカム断面２０８により角運動量がブリーチヘッド１００に伝達され、その結果、スタッド１０４が全体の回転の約３分の１だけ捩れる（この場合、反時計回りに）ようになる。このプロセスにおいて、制御スタッド１０４ｈ’がそのガイドゾーン１１１にてガイドチャンネル２０９内に案内され、ロックスタッド２０４ａ、ｂ間でガイド表面２０５及びカムゾーン２０８を越える。
【００５３】
制御スタッド１０４ｈ’のガイドゾーン１３２がロックスタッド２０４ｂのカム断面２０８に片側で衝突することにより、ブリーチヘッド１００は一方側で装荷され、ボアの中心線２４に横方向に逸れてジャムを生じる傾向がある。
【００５４】
ブリーチスタッド間に延びる円筒シャンク表面１０５（図１、２、及び５）の外径は、ロックスタッド２０４（図８を参照）の半径方向内向きに面する表面２０３間の幅ｗ（内径）と一致し、すなわち、ロック作動中のブリーチヘッド１００が逸脱及びジャムを生じることができないようになる。ブリーチヘッド１００は、その円筒シャンク表面１０５でロックスタッド２０４の対応するヘッド表面２０３に載る。このため、ブリーチヘッド１００は、ロック部品２００内に軸方向に案内され、捩られることがなく、大きな摩擦損失を生じずに前方移動を回転運動に変換し、滑らかにロック部品２００内に固定される。ここで、制御ピン１０２の後面１２８は、制御スロット６０の面７０の領域を離れる。制御スロット６０に固定するために、ガイド縁部６２は、制御ピン１０２の対応する制御面にて係合し、カム断面２０８とガイドゾーン１３２間の相対運動によって生じたロック機能が継続する。このプロセスにおいて、ロックするために、ガイド縁部６２が制御ピン１０２の対応する制御面に接して置かれ、ブリーチヘッド１００をそのロック位置にまで更に捩る。
【００５５】
ここで、カートリッジベースは、ブリーチヘッド１００の底部１２６に完全にセットされ、エジェクションスカラップ１１２は、カートリッジベース上の対応するエキストラクタ溝に嵌め込まれる。
【００５６】
ブリーチヘッド１００の更なる回転中、ロックスタッド２０４はその前部に到達すると、ブリーチスタッド１０４の後面１０６は、ロックスタッド２０４の前面２０６と完全に同一平面になる。ここで、ブリーチヘッド１００は、全回転の約３分の２の更なる回転を実施する。ロック前面１０６及び２０６は、ボアの中心線２４に対して自動ロック角度で傾斜し、スクリュー移動の一種の他のロックは、ブリーチスタッド１０４とロックスタッド２０４との間で平坦な勾配を有する。表面結合は、自動ロック方式で実施され、すなわち、ブリーチヘッドへの軸方向作用は、ブリーチスタッド１０４のロック位置からの解放をもたらさない。
【００５７】
上述のロック手順は、予制御（制御カム断面２０８及び制御断面１３２、全回転の約３分の１）によって実施され、最終の信頼できるロックから、どのような強い反発運動を生じることもなく極めて滑らかな案内部にて行われる。前面１０６及び２０６の傾斜は、このプロセスを促進し、内部摩擦抵抗を低減する。カム断面２０８の傾斜は、ガイドゾーン１３２の傾き、及びガイド表面２０５及びガイドゾーン１１１の勾配に対応し、ガイド縁部６２の傾斜を制御ピン１０２上のロック又はガイド面に一致させ、両方のプロセスが互いに滑らかに変化するようにする。ブリーチヘッド１００をロックするガイド縁部６２の傾斜角は、カム断面２０８の傾斜角に関連して、カム断面２０８からロック制御フランク６２へのロックブリーチヘッド制御からの移行中にロックされたブリーチヘッドの回転加速が増大するように選択される。
【００５８】
制御縁部６２の傾斜角は、アンロック用の制御縁部６４の傾斜角に対応し、制御ピン１０２が、制御スロット６０の全長にわたって、特に制御縁部領域６２及び６４を通じて少なくとも実施可能な側方遊びで確実に移動できるようにする。
【００５９】
（カートリッジの発射／点火（図６ｄ））
次に、制御ピン１０２は線形ガイドゾーン６８の前端にあり、ブリーチヘッド１００自体がロック部品２００の線形方向で固定され、円周方向に相互連結される。次いで、ブリーチベース１は、ブリーチヘッドに対して更に前方に移動し、撃針１１８の先端が撃針孔１２５を通って前方に進みカートリッジを点火させる範囲まで、撃針チャンネル１１６内で撃針１１８を前方に押し出す。このプロセスにおいて、ブリーチベース１がその前側６１でロック部品の後向きの前端２０１と衝突してその前方運動を停止させるまで、制御ピン１０２は、より前方に移動しているブリーチベース１に対して線形ガイドゾーン６８を後方に移動させる。従って、ブリーチベース１とロック部品２００との間の相対運動が遮られる。
【００６０】
発射後、ピストン４に作用するガス圧力に起因して、ブリーチベース１は、ブリーチバネの作用に抗して後方に押し出され、最初に、ブリーチヘッド１００に対して後方に（矢印の方向、図６ｆから６ｊを参照）移動する。撃針１１８は、ボールヘッド１２０を越えて撃針チャンネル１１６内に引き戻される。このプロセスにおいて、制御ピン１０２は、線形ガイドゾーン６８において前方に移動し、制御縁部６４と係合し、アンロックする（図６ｆ）。
【００６１】
（アンロック及びカートリッジの引き出し（図６ｆ〜６ｈ））
次に、アンロック運動の結果として、ブリーチスタッド１０４がロックスタッド２０４の領域の外に転回される（図６ｇ）。ブリーチスタッド１０４は、底部１２６とカートリッジケーシングとの間の接触圧力を緩和し、エジェクションスカラップ１１２は、カートリッジケースのエキストラクタ溝内に捩込むことができる。この回転運動は、最初に、ガイド縁部６４と制御ピン１０２との間に適用される。発射により、カートリッジケースは膨張し、銃身のチャンバ内に堅固に楔留めすることができる。この場合、アンロック運動中、ガイドゾーン１３２は、カム断面２０８により支持され、力が増大し軸方向速度が低下したスクリュー運動によって、チャンバからカートリッジケースを引き出す（図６ｇに示す位置から図６ｈに示す位置まで）。ここで、制御スタッド１０４ｈ’は、ロックプロセスと同様に、ロックスタッド２０４ｂのカム断面２０８及びガイドチャンネル２０９内のロックスタッド２０４ａのガイド表面２０５を通って制御断面１３２及びガイド断面１１１に案内される。
【００６２】
回転完了後、ブリーチスタッド１０４はまた、ロック部品２００の陥凹部２０２と同一平面になる。制御ピン１０２は、線形ガイドゾーン６６の前端を押し、ブリーチベース１を後部（図６ｉ）に連続的に後方移動させることによって導かれ、すなわちブリーチヘッド１００並びにエジェクションスカラップ１１２により保持される緩められたカートリッジケースを捕捉する。ここでブリーチヘッド１００及びカートリッジケースは、チャンバ及びロック部品２００から離れる（図６ｊ）。
【００６３】
連続した後方移動の間、ブリーチヘッド１００は、再度ガイドレール１６及び１８の領域に達し、エジェクションスロット１１０に突出しているエジェクタが、ガス圧力管２内のウィンドウ３を通って、更に武器から下方向にカートリッジケースを排出する。更なる戻り運動時に、ブリーチベース１は、圧力ガス管２の延伸時にブリーチベース１の下部に位置付けられる、武器の下部プレート（図示せず）のストップピン７６と衝突する。
【００６４】
ブリーチベース１内部では、このストップピン７６は、機械的バッファ７８により緩衝され、リングバネ組立体８０による高い機械エネルギー吸収を実現し、これにより、ブリーチ構成の運動エネルギーの高比率を吸収し、反動が大幅に低減される。引き金が解放されると、ブリーチ構成は、クリック停止キャッチ７４により再度所定位置にロックされ、最後のカートリッジがベルトから放出された後、ブリーチは、再度ロック位置のまま留まる。
【００６５】
当業者であれば、添付の請求項により本発明の追加の特徴及び変形形態が想起されるであろう。
【符号の説明】
【００６６】
１  ブリーチ構成
１６、１８  ブリーチガイド部
３０  ブリーチガイド装置
３２  支持要素
３４  制御要素
３６  ガイド要素
１００  ブリーチ構成
【図１】
0005538521.tif 000002
【図２】
0005538521.tif 000003
【図３】
0005538521.tif 000004
【図４】
0005538521.tif 000005
【図５】
0005538521.tif 000006
【図６ａ】
0005538521.tif 000007
【図６ｂ】
0005538521.tif 000008
【図６ｃ】
0005538521.tif 000009
【図６ｄ】
0005538521.tif 000010
【図６ｅ】
0005538521.tif 000011
【図６ｆ】
0005538521.tif 000012
【図６ｇ】
0005538521.tif 000013
【図６ｈ】
0005538521.tif 000014
【図６ｉ】
0005538521.tif 000015
【図６ｊ】
0005538521.tif 000016
【図７】
0005538521.tif 000017
【図７ａ】
0005538521.tif 000018
【図８】
0005538521.tif 000019